(57)【特許請求の範囲】
【請求項１】
中央部から折り込んだ毛材のブラシ片と、折り込んだ該ブラシ片の内側または外側に折り込んだ該ブラシ片の毛丈より短かい帯状体と、該ブラシ片および該帯状体の折り込み部を加熱して溶着し概長円形の断面を有する平板状に一体的に形成した基部と、からなることを特徴とする洗浄ブラシ。
【請求項２】
ブラシ片と、ブラシ片の毛丈より短い帯状体と、該ブラシ片と該帯状体とを端部を揃えて重ね合わせ該揃えた端部を加熱して溶着し概長円形の断面を有する平板状に一体的に形成した基部と、からなることを特徴とする洗浄ブラシ。
【発明の詳細な説明】
【０００１】
【発明の属する技術分野】
本発明は、被洗浄面に付着した塵埃を清掃する為の洗浄ブラシに関するものである。
【０００２】
【従来の技術】
従来の洗浄ブラシを、図１を用いて説明する。図１は、従来の洗浄ブラシの一例を示す斜視図である。図１において、１は洗浄ブラシ、２はブラシ片、３は帯鋼、４は芯線、５は端部である。洗浄ブラシ１は、端部５を形成するように、ブラシ片２の中央部を折り込んで、帯鋼３及び芯線４に挟みつけて製造される。なお、図１に記載の洗浄ブラシ１の如くの形状は、一般的にはチャンネルブラシと呼ばれている。
【０００３】
【発明が解決しようとする課題】
しかしながら、従来の洗浄ブラシ１は、ブラシ片２の中央部を折り込んで、帯鋼３及び芯線４に挟みつけて製造されているので、ブラシ片２以外に、帯鋼３及び芯線４が必要であった。また、ブラシ片２を挟みつける為の製造設備も必要であった。その為、洗浄ブラシ１を製造する時には、帯鋼３、芯線４及び製造設備の費用が必要であった。また、ブラシ片２は、被洗浄面に接触する時間が増加すると共に、毛倒れが発生してしまい、所定の清掃効果が達成できなくなるという欠点を有していた。
【０００４】
本発明は、上記のような問題を解決するためになされたもので、ブラシ片を挟みつける為の製造設備が不要で、かつ、帯鋼及び芯線も不要であって、毛倒れが発生しない洗浄ブラシを提供することを目的としている。
【０００５】
【課題を解決するための手段】
本発明の洗浄ブラシは、上記の目的を達成するため、請求項１の発明では、次のように構成したものである。即ち、中央部から折り込んだ毛材のブラシ片と、折り込んだ該ブラシ片の内側または外側に折り込んだ該ブラシ片の毛丈より短かい帯状体と、該ブラシ片および該帯状体の折り込み部を加熱して溶着し概長円形の断面を有する平板状に一体的に形成した基部と、からなることを特徴としている。
【０００６】
ブラシ片及び帯状体の材料としては、ポリプロピレン等の樹脂材料が一般的であるが、一体的に溶着することが可能な材料ならば、使用する目的に応じて、天然樹脂発泡体、合成樹脂発泡体、織布、不織布、編物、天然繊維、化学繊維、天然樹脂、合成樹脂、天然ゴム、合成ゴム、ゲル材、フィルム材、メッシュ材、ボア材あるいは紙等を使用することができる。
毛材および帯状体は中央部から折り込むが、この中央部の意味は、折り込まれた自由端側が同じ高さに揃う場合のみならず、段差が形成される場合も含まれる。
【０００７】
また、請求項２の発明では、ブラシ片と、ブラシ片の毛丈より短い帯状体と、該ブラシ片と該帯状体とを端部を揃えて重ね合わせ該揃えた端部を加熱して溶着し概長円形の断面を有する平板状に一体的に形成した基部と、からなることを特徴としている。ブラシ片及び帯状体の材料は、請求項１の場合と同じである。
【０００８】
【発明の実施の形態】
請求項１の発明の実施の形態について、図２〜図４に基づいて説明する。図２は、本発明の実施の形態の洗浄ブラシを示す斜視図である。図２において、１１は洗浄ブラシ、１２はブラシ片、１３は基部、１４は帯状体、１７、１８、１９、２０は端部である。図３は、図２の洗浄ブラシの正面図である。図３において、１５、１６は段差である。図４は、図２の洗浄ブラシの基部１３の形成前の状態を示す正面図で、９、１０はブラシ片１２および帯状体１４の折り込み部である。
【０００９】
この洗浄ブラシは、図２及び図３の如く、基部１３、ブラシ片１２及び帯状体１４より構成されている。基部１３は、ブラシ片１２と帯状体１４の折り込み部９，１０が溶着されて概長円形の断面を有する平板状に一体的に形成したものである。基部１３の上面には、ブラシ片１２及び帯状体１４が、基部１３の長手方向に対して、並列に形成されている。ブラシ片１２は、帯状体１４を両側から挟み込むように形成されていて、自由端側には、端部１７、１８が形成されている。また、帯状体１４は、自由端側に段差１５を有して端部１９、２０が形成されている。そして、ブラシ片１２及び帯状体１４の間には、段差１６が形成されている。なお、ブラシ片１２及び帯状体１４は、ポリプロピレン等の樹脂材料が使用されている。
【００１０】
次に、洗浄ブラシ１１の製造手順について、図４を使用して説明する。まず、ブラシ片１２を、端部１７、１８を揃える様に、中央部から折り込む。また、帯状体１４を、端部１９、２０の間に段差１５が形成されるように、折り込む。その時、ブラシ片１２及び帯状体１４には、それぞれ折り込み部９、１０が形成される。次に、折り込み部９、１０を加熱して溶着し、概長円形の断面を有する平板状に一体的に形成された基部１３を造る。
【００１１】
洗浄ブラシ１１の使用時には、まず、帯状体１４を挟み込むように両側から形成されているブラシ片１２の外面が、被洗浄面に接触して、付着した塵埃を清掃する。この時、ブラシ片１２は、段差１６を介して帯状体１４よりも高くなるように毛丈が設定されてあり、かつ、帯状体１４がブラシ片１２の内側に形成されている。また、帯状体１４は、端部１９及び２０の間に、段差１５が形成されている。その為、ブラシ片１２は、自由端側の端部１７、１８よりも基部１３側の方が、毛腰が強くなっている。
【００１２】
この洗浄ブラシは、上記の如くの構成となっているので、ブラシ片１２の内側に隣接して形成されている帯状体１４が、ブラシ片１２が内側に毛倒れする事を防止すると共に、ブラシ片１２の毛腰を強くしている。その為、被洗浄面に塵埃が強固に付着している場合であっても、迅速かつ効果的に掻き出すことができる。また、ブラシ片１２は、糸くずや毛髪等の線状の付着物が根元まで絡みつくことが無い。さらにまた、ブラシ片１２は、帯状体１４を挟み込むように両側から形成されているので、被洗浄面に対して、端部１７が先に接触するように使用した場合であっても、端部１８が先に接触するように使用した場合であっても、前記と同様の効果を発揮できる。
【００１３】
また、基部１３は、ブラシ片１２及び帯状体１４の折り込み部９，１０が、溶着して概長円形の断面を有する平板状に一体的に形成されているので、帯鋼や芯線を使用して、挟みつける必要が無く、かつ、帯鋼を使用して基部を形成する必要が無い。また、段差１５、１６は、目的に応じて適時、所定の段差を形成させる事により、ブラシ片１２の毛腰の強さを、適時、設定できる。
【００１４】
次に別の実施の形態を図５に基づいて説明する。図５において、２１は洗浄ブラシ、２２はブラシ片、２３は基部、２４は帯状体、２７、２８、２９、３０は端部である。
【００１５】
この洗浄ブラシは、基部２３、ブラシ片２２及び帯状体２４より構成されている。基部２３は、ブラシ片２２と帯状体２４の折り込み部が溶着されて概長円形の断面を有する平板状に一体的に形成されている。ブラシ片２２及び帯状体２４は、基部２３の上面に長手方向に並列に形成されている。帯状体２４は、ブラシ片２２を両側から挟み込むように形成されていて、自由端側には、端部２９、３０が形成されている。ブラシ片２２は、自由端側に端部２７、２８が形成されている。ブラシ片２２及び帯状体２４の間には、段差２５、２６が形成されている。なお、ブラシ片２２及び帯状体２４には、ポリプロピレン等の樹脂材料が使用されている。
【００１６】
次に、洗浄ブラシ２１の製造手順について説明する。まず、ブラシ片２２を、端部２７、２８を揃える様に、中央部から折り込む。また、帯状体２４を、ブラシ片２２との間に段差２５、２６が形成されるように、折り込む。次に、ブラシ片２２と帯状体２４の折り込んだ部分を加熱して溶着し、概長円形の断面を有する平板状に一体的に形成した基部２３を造る。
【００１７】
洗浄ブラシ２１の使用時には、帯状体２４に挟み込まれて中央部に形成されているブラシ片２２の端部２７、２８及び帯状体２４の端部２９、３０が、被洗浄面に接触して、付着した塵埃を清掃する。この時、ブラシ片２２は、段差２５、２６を介して帯状体２４よりも高くなるように毛丈が設定されており、かつ、帯状体２４がブラシ片２２の外側に形成されている。
【００１８】
この洗浄ブラシは、上記の如くの構成となっている為、ブラシ片２２の外側に隣接して形成されている帯状体２４が、ブラシ片２２が外側に毛倒れする事を防止すると共に、ブラシ片２２の毛腰を強くしている。その為、被洗浄面に塵埃が強固に付着している場合であっても、迅速かつ効果的に掻き出すことができる。また、ブラシ片２２は、糸くずや毛髪等の線状の付着物が根元まで絡みつくことが無い。
【００１９】
次に、請求項２の発明の実施の形態を図６〜図８に基づいて説明する。
図６において、３１は洗浄ブラシ、３２はブラシ片、３３は基部、３４は帯状体、３７、３９は端部である。図７は、図６の洗浄ブラシの正面図で、３５は段差である。また、図８は、図６の洗浄ブラシの基部の形成前の状態を示す正面図で、３６、４０は端部である。
【００２０】
この洗浄ブラシは、図６及び図７の如く、基部３３、ブラシ片３２及び帯状体３４より構成されている。基部３３は、ブラシ片３２及び帯状体３４の端部が概長円形の断面を有する平板状に一体的に形成されている。ブラシ片３２及び帯状体３４は、基部３３の上面に長手方向に並列に形成されている。ブラシ片３２の自由端側には端部３７、帯状体３４の自由端側には端部３９が形成されている。ブラシ片３２と帯状体３４の間には、段差３５が形成されている。なお、ブラシ片３２及び帯状体３４には、ポリプロピレン等の樹脂材料が使用されている。
【００２１】
次に、洗浄ブラシ３１の製造手順について、図８を使用して説明する。まず、ブラシ片３２の端部３６と、帯状体３４の端部４０を揃える様に、ブラシ片３２と、帯状体３４を、重ね合わせる。その時、端部３７、３９の間には、段差３５が形成される。次に、端部３６、４０を加熱して溶着し、概長円形の断面を有する平板状に一体的に形成した基部３３を造る。
【００２２】
洗浄ブラシ３１は、帯状体３４が形成されている側と反対側の、ブラシ片３２の外面が、被洗浄面に接触して、付着した塵埃を清掃するように使用する。この時、ブラシ片３２は、段差３５を介して帯状体３４よりも高くなるように毛丈が設定されてあり、かつ、帯状体３４がブラシ片３２の一方の外側に形成されている。その為、ブラシ片３２は、帯状体３４が形成されている側と反対側の外側からの接触に対して、自由端側の端部３７よりも基部３３側の方が、毛腰が強くなっている。
【００２３】
この洗浄ブラシは、上記の如くの構成となっているので、ブラシ片３２の一方の外側に隣接して形成されている帯状体３４が、ブラシ片３２が、帯状体３４が形成されている側と反対側の外側からの接触に対して、毛倒れする事を防止すると共に、ブラシ片３２の毛腰を強くしている。その為、被洗浄面に塵埃が強固に付着している場合であっても、迅速かつ効果的に、掻き出すことができる。また、ブラシ片３２は、糸くずや毛髪等の線状の付着物が、根元まで絡みつくことが無い。さらにまた、洗浄ブラシは、ブラシ片３２の端部３６と、帯状体３４の端部４０を揃える様に、ブラシ片３２と、帯状体３４を、重ね合わせた後、端部３６、４０を加熱して溶着し、概長円形の断面を有する平板状に一体的に形成した基部３３を造っているので、ブラシ片３２と帯状体３４を、折り込む必要が無い。
【００２４】
【発明の効果】
請求項１の発明は、ブラシ片の内側に隣接して形成されている帯状体が、ブラシ片が内側に毛倒れする事を防止すると共に、ブラシ片の毛腰を強くしている。その為、被洗浄面に塵埃が強固に付着している場合であっても、迅速かつ効果的に掻き出すことができる。また、ブラシ片は、糸くずや毛髪等の線状の付着物が根元まで絡みつくことが無い。また、ブラシ片は、帯状体を挟み込むように両側から形成されている為、被洗浄面に対して、左右どちらの側の端部が先に接触するように使用した場合であっても、前記と同様の効果を発揮できる。また、基部は、ブラシ片及び帯状体の折り込み部が、溶着により概長円形の断面を有する平板状に一体的に形成されているので、帯鋼や芯線を使用して、挟みつける必要が無く、かつ、帯鋼を使用して基部を形成する必要が無い。また、帯状体が、ブラシ片を両側から挟み込むように形成されている洗浄ブラシを使用した場合には、ブラシ片の外側に隣接して形成されている帯状体が、ブラシ片が外側に毛倒れする事を防止すると共に、ブラシ片の毛腰を強くしている。その為、被洗浄面に塵埃が強固に付着している場合であっても、迅速かつ効果的に掻き出すことができる。また、ブラシ片は、糸くずや毛髪等の線状の付着物が根元まで絡みつくことが無い。
【００２５】
請求項２の発明は、ブラシ片の一方の外側に隣接して形成されている帯状体が、ブラシ片が帯状体が形成されている側と反対側の外側からの接触に対して、毛倒れする事を防止すると共に、ブラシ片の毛腰を強くしている。その為、被洗浄面に塵埃が強固に付着している場合であっても、迅速、かつ効果的に、掻き出すことができる。また、ブラシ片は、糸くずや毛髪等の線状の付着物が、根元まで絡みつくことが無い。さらにまた、洗浄ブラシは、ブラシ片の端部と帯状体の端部を揃える様に、ブラシ片と帯状体を、重ね合わせた後、端部を加熱して溶着し、概長円形の断面を有する平板状に一体的に形成された基部を造っているので、ブラシ片と帯状体を、折り込む必要が無い。
【図面の簡単な説明】
【図１】 従来の洗浄ブラシの一例を示す斜視図である。
【図２】 請求項１の発明の実施の形態の洗浄ブラシを示す斜視図である。
【図３】 図２の洗浄ブラシの正面図である。
【図４】 図２の洗浄ブラシの基部の形成前の状態を示す正面図である。
【図５】 別の実施の形態の洗浄ブラシを示す斜視図である。
【図６】 請求項２の発明の実施の形態の洗浄ブラシを示す斜視図である。
【図７】 図６の洗浄ブラシの正面図である。
【図８】 図６の洗浄ブラシの基部の形成前の状態を示す正面図である。
【符号の説明】
１、１１、２１、３１  洗浄ブラシ
２、１２、２２、３２  ブラシ片
３  帯鋼
４  芯線
５  端部
１７、１８、１９、２０  端部
２７、２８、２９、３０  端部
３６、３７、３９、４０  端部
９、１０  折り込み部
１３、２３、３３  基部
１４、２４、３４  帯状体
１５、１６、２５、２６、３５  段差
【図１】
0004105908.tif 000002
【図２】
0004105908.tif 000003
【図３】
0004105908.tif 000004
【図４】
0004105908.tif 000005
【図５】
0004105908.tif 000006
【図６】
0004105908.tif 000007
【図７】
0004105908.tif 000008
【図８】
0004105908.tif 000009